【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
第１の光ファイバを第２の光ファイバに結合するよう構成される光ファイバ・コネクタであって、
ソケットを含み、前記ソケットは前記ソケットの一部を貫通するトンネルを有し、前記トンネルは、前記ソケットの第１の表面に抜ける第１の開口と前記ソケットの第２の表面に抜ける第２の開口とを有し、そして前記第１の表面は前記第２の表面と相対しており、前記コネクタはさらに、
第１の光ファイバの一部を保持し、前記第１の光ファイバの一部とともに前記第１の開口に挿入されるように構成される第１の突起を有する第１のプラグと、
第２の光ファイバの一部を保持し、前記第２の光ファイバの一部とともに前記第２の開口に挿入されるように構成される第２の突起を有する第２のプラグとを含むことを特徴とする光ファイバ・コネクタ。
【請求項２】
前記第１のプラグは、前記第１の光ファイバの一部を受けるように延びるトンネルを有することを特徴とする請求項１に記載の光ファイバ・コネクタ。
【請求項３】
前記第２のプラグは、前記第２の光ファイバの一部を受けるように延びるトンネルを有することを特徴とする請求項１に記載の光ファイバ・コネクタ。
【請求項４】
前記第１のプラグと前記第２のプラグの各々は、ソケットのそれぞれの開口に挿入されるよう構成される突起からなることを特徴とする請求項１に記載の光ファイバ・コネクタ。
【請求項５】
突起の各々は、光ファイバの一部を保持するように構成される保持面を有することを特徴とする請求項４に記載の光ファイバ・コネクタ。
【請求項６】
第２の突起を第２の開口に挿入し、そして第１の突起を第１の開口に挿入することで第２の光ファイバが第１の光ファイバと接触するよう、前記コネクタがさらに構成されることを特徴とする請求項１に記載の光ファイバ・コネクタ。
【請求項７】
前記ソケットは、第１のプラグとソケットとの嵌め合いが保持されるように構成される第１のアームと、第２のプラグとソケットとの嵌め合いが保持されるように構成される第２のアームとからなることを特徴とする請求項１に記載の光ファイバ・コネクタ。
【請求項８】
第１のアームと第２のアームのそれぞれは、前記第１のプラグと第２のプラグとがソケットと嵌め合わされるときにソケットのそれぞれのくぼみとかみ合うように構成される止め具からなることを特徴とする請求項７に記載の光ファイバ・コネクタ。
【請求項９】
第１の突起がトンネルの第１の開口に挿入されると、トンネルの表面が第１の突起の表面に圧力を加え、そして第１の突起がトンネルの一部であるＶ溝に第１のファイバの一部を押し付けるよう、前記コネクタが構成されることを特徴とする請求項７に記載の光ファイバ・コネクタ。
【請求項１０】
第２の突起がトンネルの第２の開口に挿入されると、トンネルの表面が第２の突起の表面に圧力を加え、そして第２の突起がトンネルの一部であるＶ溝に第２のファイバの一部を押し付けるよう、前記コネクタが構成されることを特徴とする請求項９に記載の光ファイバ・コネクタ。
【請求項１１】
第１の光ファイバを第２の光ファイバに結合する方法であって、
第１の光ファイバと前記第１の光ファイバを保持する第１の突起とを、ソケットの一部を貫通するトンネルの第１の開口に挿入するステップと、
第２の光ファイバと前記第２の光ファイバを保持する第２の突起とを、前記トンネルの第２の開口に挿入するステップとを含み、前記第１の開口と第２の開口とが前記トンネルの相対する端部にあることを特徴とする方法。
【請求項１２】
前記第１の突起は、前記第１の光ファイバの一部を受けるように延びるトンネルを有する第１のプラグの一部であり、前記第２の突起は、前記第２の光ファイバの一部を受けるように延びるトンネルを有する第２のプラグの一部であることを特徴とする請求項１１に記載の方法。
【請求項１３】
前記第１のプラグと第２のプラグの各々は、前記ソケットの開口に挿入されるように構成される突起からなり、そして前記突起の各々は、光ファイバの一部を保持するように構成される保持面を有することを特徴とする請求項１１に記載の方法。
【請求項１４】
前記第２の突起を前記第２の開口に挿入し、そして前記第１の突起を前記第１の開口に挿入することで前記第２の光ファイバが前記第１の光ファイバと光学的に結合されることを特徴とする請求項１１に記載の方法。
【請求項１５】
光ファイバ・コネクタであって、
溝を有する底部と、
頂部と、
前記頂部が前記底部に取り付けられるときに頂部と底部の間で少なくとも部分的に嵌め合うように構成される第１の楔と第２の楔とを含み、
前記第１の楔を前記第２の楔の方向に滑らせて作用させたときに前記第１の光ファイバを溝の中に押し付けるように、前記第１の楔が構成され、そして、
前記第２の楔を前記第１の楔の方向に滑らせて作用させたときに前記第２の光ファイバを溝の中に押し付けるように、前記第２の楔が構成されることを特徴とする光ファイバ・コネクタ。
【請求項１６】
前記第１の楔と第２の楔とが作用することにより、前記第１の光ファイバと前記第２の光ファイバとが光学的に結合されるように、前記コネクタが構成されることを特徴とする請求項１５に記載の光ファイバ・コネクタ。
【請求項１７】
前記第１の楔が前記第２の楔から離れる方向にスライドさせられることにより作用しなくなるとき、前記第１の楔によって前記第１の光ファイバに加えられている圧力が減少するように、前記第１の楔が構成されていることを特徴とする請求項１５に記載の光ファイバ・コネクタ。
【請求項１８】
前記第１の楔が前記第２の楔から離れる方向にスライドさせられることにより作用しなくなるとき、前記第１の光ファイバが前記光ファイバ・コネクタから取り外せるように、前記第１の楔が構成されていることを特徴とする請求項１５に記載の光ファイバ・コネクタ。
【請求項１９】
前記第２の楔が前記第１の楔から離れる方向にスライドさせられることにより作用しなくなるとき、前記第２の光ファイバに加えられている圧力が減少するように、前記第２の楔が構成されていることを特徴とする請求項１５に記載の光ファイバ・コネクタ。
【請求項２０】
前記第２の楔が前記第１の楔から離れる方向にスライドさせられることにより作用しなくなるとき、前記第２の光ファイバが光ファイバ・コネクタから取り外せるように、前記第２の楔が構成されていることを特徴とする請求項１５に記載の光ファイバ・コネクタ。
【請求項２１】
前記第１の楔が作用するとき、前記第１の複数の光ファイバを底部の複数の溝の中に押し込むように前記第１の楔が構成され、そして前記第２の楔が作用するとき、前記第２の複数の光ファイバを前記複数の溝の中に押し込むように前記第２の楔が構成されていることを特徴とする請求項１５に記載の光ファイバ・コネクタ。
【請求項２２】
底部は複数のより大きなＶ溝と複数のより小さなＶ溝とを有し、より大きなＶ溝の各々はより小さなＶ溝の各々よりも幅が広いことを特徴とする請求項１５に記載の光ファイバ・コネクタ。
【請求項２３】
前記より大きなＶ溝の各々は、前記より小さなＶ溝のそれぞれと前記より大きなＶ溝のそれぞれと縦方向に並んでいることを特徴とする請求項２２に記載の光ファイバ・コネクタ
【請求項２４】
それぞれの光ファイバのバッファ部を保持するように前記複数のより大きなＶ溝が構成されていることを特徴とする請求項２３に記載の光ファイバ・コネクタ。
【請求項２５】
それぞれの光ファイバの露出部を保持するように前記複数のより小さなＶ溝が構成されていることを特徴とする請求項２４に記載の光ファイバ・コネクタ。
【請求項２６】
前記第１の楔と第２の楔の各々は頭部と胴体部とを含むことを特徴とする請求項１５に記載の光ファイバ・コネクタ。
【請求項２７】
前記胴体部は傾斜した楔表面と底部楔表面とを有することを特徴とする請求項２６に記載の光ファイバ・コネクタ。
【請求項２８】
前記頭部の各々は、対応する楔を作用させるために押される作用表面と、対応する楔の作用を解除するために押される非作用表面とを有することを特徴とする請求項２７に記載の光ファイバ・コネクタ。
【請求項２９】
前記第１の楔と第２の楔とが、前記頂部が前記底部に取り付けられる前に、前記頂部と前記底部の間に配されることを特徴とする請求項２８に記載の光ファイバ・コネクタ。
【請求項３０】
前記頂部が前記底部に取り付けられると、傾斜した楔表面の各々が頂部の傾斜した底部表面と向き合い、そして楔頭部が頂部の開口を経て接近可能となることを特徴とする請求項２９に記載の光ファイバ・コネクタ。
【請求項３１】
前記第１の楔を前記第２の楔の方向にスライドさせることにより、前記第１の楔の傾斜した楔表面が前記頂部の傾斜した底部表面のそれぞれに対して圧力を加えることを特徴とする請求項３０に記載の光ファイバ・コネクタ。
【請求項３２】
コネクタを介して第１の光ファイバを第２の光ファイバに結合する方法であって、
第１の光ファイバをコネクタの一部に彫られた溝の中に押し付けるために、第１の楔をコネクタに対して第１の方向にスライドさせるステップと、
第２の光ファイバを溝の中に押し付けるために、第２の楔をコネクタに対して前記第１の方向と反対側の第２の方向にスライドさせるステップとを含むことを特徴とする方法。
【請求項３３】
前記第１の楔を前記第１の方向にスライドさせるステップと前記第２の楔を前記第２の方向にスライドさせるステップとにより、前記第１の光ファイバと前記第２の光ファイバを光学的に結合させることを特徴とする請求項３２に記載の方法。
【請求項３４】
前記第１の光ファイバをコネクタから取り外すことを可能にするために、前記第１の楔を前記第２の方向にスライドさせるステップをさらに含むことを特徴とする請求項３２に記載の方法。
【請求項３５】
前記第２の光ファイバをコネクタから取り外すことを可能にするために、前記第２の楔を前記第１の方向にスライドさせるステップをさらに含むことを特徴とする請求項３２に記載の方法。
【請求項３６】
前記第１の楔を前記第１の方向にスライドさせるステップにより、前記第１の複数の光ファイバをコネクタの一部に彫られた複数の溝の中に押し付け、そして前記第２の楔を前記第２の方向にスライドさせるステップにより、前記第２の複数の光ファイバを複数の溝の中に押し付けることを特徴とする請求項３２に記載の方法。